(57)【特許請求の範囲】
【請求項１】
一連の方向転換手段（３）と共働して靴胴部（１１０）の一部分を締め付けるための緊締手段（４）を含むスポーツ靴において、
前記方向転換手段（３）の各々は、柔軟な耐伸長性材料から成る閉ループ（３０）と前記閉ループ（３０）に接続された案内部材（３１）を含み、
前記案内部材（３１）は、前記緊締手段（４）を通過面（Ｐ）に沿って前記閉ループ（３０）の内部を通過させる滑動面（３１０）を有し、かつ前記緊締手段（４）が引張力を受けるときに変形しない程度の十分な硬さを前記通過面（Ｐ）内で有し、
前記案内部材（３１）の滑動面（３１０）が、前記通過面（Ｐ）内で凸形に湾曲した母線と、前記通過面（Ｐ）に垂直な面（Ｐ’）内で凹形に湾曲した母線とを有することを特徴とするスポーツ靴。
【請求項２】
前記閉ループ（３０）が前記靴胴部（１１０）の部分に接続された帯状部材の一部分の形状を呈することを特徴とする請求項１記載のスポーツ靴。
【請求項３】
前記帯状部材（３０）が織物材料から選ばれることを特徴とする請求項２記載のスポーツ靴。
【請求項４】
前記靴胴部（１１０）の一部分が少なくとも２の緊締用腰革（１１０ａ、１１０ｂ）によって画定される開口部（１２）を有し、前記方向転換手段（３）は各々の腰皮に相対するように配分されるとともに、各々の閉ループ（３０）が前記腰革の一方に接続される１の部分と、前記開口部（１２）上で前記腰革を縁取る前記案内部材（３１）を含む１の部分とを有するように配置されることを特徴とする請求項１、２または３記載のスポーツ靴。
【請求項５】
前記案内部材が、前記案内部材（３１）を横切って前記帯状部材の部分を確実に通過できるようにするとともに前記案内部材を確実に接続できるスロット（３１１）を有することを特徴とする請求項２記載のスポーツ靴。
【請求項６】
前記案内部材（３１）が摩擦係数の低い材料で構成されることを特徴とする請求項１ないし５のいずれか１項記載のスポーツ靴。
【請求項７】
前記案内部材（３１）がＰＴＦＥ、ＰＴＦＣＥ、ＦＥＰ、ナイロン、ポリアミド、ポリエチレン、ポリアセタールから選択したプラスチック材料で構成されることを特徴とする請求項６記載のスポーツ靴。
【請求項８】
緊締手段（４）を使用して靴の胴部（１１０）の一部分を締め付けるための方向転換部材（３）であって、
前記方向転換部材（３）は、柔軟な耐伸長性材料から成る閉ループ（３０）と前記閉ループに接続された案内部材（３１）を含み、
前記案内部材（３１）は、前記緊締手段（４）を通過面（Ｐ）に沿って前記閉ループ（３０）の内部に通過させるための滑動面（３１０）を有し、かつ前記緊締手段（４）に引張力が加わるときに変形しない程度の十分な硬さを前記通過面（Ｐ）内で有し、
前記案内部材（３１）の滑動面（３１０）が、前記通過面（Ｐ）内で凸形に湾曲した母線と、前記通過面（Ｐ）に垂直な面（Ｐ’）内で凹形に湾曲した母線とを有することを特徴とする靴胴部締め付け用の方向転換部材。
【発明の詳細な説明】
【０００１】
本発明は、スポーツ靴の分野に属する。特に、本発明は、クロスカントリー型スノーサーフィン型、インライン・スケーティング型、パラグライディング型等の技能靴の分野に属する。
【０００２】
上述の型式のスポーツ靴は、常套的に、靴底と靴胴部とを含み、この靴胴部は、足部を通すための開口部を備えるとともに、この開口部の両側に、締め付けによってこの開口部の部分的な閉鎖を確実にするための紐部材等の１または複数の緊締手段と共働する方向転換手段（すなわち、留め輪）を含む。
【０００３】
或る種の靴においては、靴胴部の一部分の上部に局在する方向転換手段は様々な状況に置いて押圧力を受ける。例えば、スノーサーフィン用の靴の或るものは、足の上部に押圧力を及ぼす横断方向の帯状部材を含む締め具と共働するためのものであり、その結果、該方向転換手段（すなわち、留め輪）を省略できる。フックや、バックルや、金属製あるいはプラスチック製の環がね等の嵩張ってかつ硬質の留め輪は硬点を引き起こすことがある。このような硬点により、足部に生ずる痛みの問題とか、また該箇所によって帯状部材が多少なりとも変形するといった問題を生じる。
【０００４】
靴胴部の一部分に内部緊締装置を有するクロスカントリー用の靴あるいはその他の目的に使用する靴の或るものは、同じような問題に遭遇する。この場合、靴胴部の内側部分は方向転換手段を含み、この方向転換手段は異なる手段（紐締め、ベルベット式ファスナー［ヴェルクロまたはマジック・テープ−いずれも商標名］、スライドファスナー等）によってこの部分を締め付けた後、靴胴部の外側部分に押圧力を受ける。この押圧力は、不快感あるいは靴の変形（このような変形は起きない方が良い）といった諸々の問題を新たに引き起こす。
【０００５】
このような問題を除去するために、ループの形で折り畳まれて、靴胴部に連結される織物製ベルト様の柔軟でかつ引張に対して強い留め輪を使用し、その嵩張りを制限し、かつ外部からの押圧力によって変形を促進することが知られている。
【０００６】
このような留め輪の使用の一例はフランス国公開特許出願第２７２６４４０号明細書に開示があり、それによると、スポーツ靴は足甲部の箇所に内部緊締装置と、外部からの衝撃に対して保護する外側胴部とを含み、この緊締装置が内部装置を緊縛して該装置の方向転換手段に対して押圧力を及ぼす。
【０００７】
しかしながら、この方向転換手段は完全に満足できるものではない。
【０００８】
ループの性質と特徴により、特に、その織り方と柔軟性のゆえに締め付け効率は最適とは言えない。すなわち、紐部材によって受ける摩擦が高くなる。その上、このひも部材は方向転換角度によりその幅を狭めてベルトを変形させる。この変形により付加的な摩擦が創り出されて、ループの早期摩耗、ひいてはその破断を招来することがある。
【０００９】
それゆえ、本発明の目的は、上に述べたような諸々の欠点に対して満足のいく解決策を提供することにある。
【００１０】
本発明の目的は、以下に述べるような構成の方向転換手段（或いは部材）を使用することによって達成される。すなわち、この方向転換部材は、ループに接続され、かつ緊締手段を通貨面Ｐに沿ってループの内側で移行させる滑動面を有する案内部材を含み、この案内部材は該通過面Ｐ内で十分な硬さを有して、緊締手段が引張力を受けるとき変形に抗する。
【００１１】
このような方向転換手段は、その嵩張りが制限され、かつ高い柔軟性を有するとともに紐部材との摩擦が低減するという利点を有し、これにより良好な作業効率と長い寿命とをこの方向転換手段に保証する。
【００１２】
本発明のその他の特徴と利点は、添付の図面を参照して以下に述べる詳細な説明を読むことによりさらに明らかとなろう。
【００１３】
図１に示す靴は、既に述べた技術的な問題の１つを明らかにすることができる、本発明の靴の一応用例に関する。
【００１４】
靴１は、柔軟なあるいは半柔軟な胴部１０を含むスノーサーフィン用のブーツである。図示の形状において、このブーツは従来のサーフィン用締め具２内で所定の位置を占め、この締め具は、サーフボード（図示せず）に取り付けられる１の底板１９と、該底板１９にブーツを堅固に保持する２の帯状部材（ベルト）２０、２１を含むという特色を有する。
【００１５】
したがって、帯状部材２０、２１は緊締装置に対して局所的に大きな押圧力を及ぼす。これにより、先に述べた不快感などの恐れを回避するために、その目的に適った方向転換手段を準備する必要がある。
【００１６】
図２に示すように、この解決策は、柔軟性を有しかつ引張に対して抵抗力のある材料で作った閉ループ３０を含む方向転換手段３の使用を伴う。
【００１７】
図２の靴は、本発明の要部のみを目立たせるため、故意に単純化したものである。靴胴部は部分１１０を有する。この場合は前部分（すなわち、甲部）を有し、この前部分は締め付けを行う２の腰革１１０ａと１１０ｂを画定する１の開口１２を備えている。
【００１８】
方向転換手段は、各腰革１１０ａ、１１０ｂに亙って、該開口部１２の両側で相対するように配分される。
【００１９】
紐４などの緊締手段が、例えば、交差するとともに、方向転換手段とその反対側を交互に巡る経路に沿って各ループ３０を横切って走行するように配分される。これにより、腰革の相互接近を生じる。
【００２０】
このような紐締め方法は、もちろん、唯一の可能な解決方法ではない。
【００２１】
図３は、先行技術の態様を示し、方向転換手段に発生する大きな欠点を浮き彫りにする。すなわち、靴胴部１１０の部分に連結される帯状部材の一部分の形状を呈するループ３０が、緊締手段（すなわち、紐部材）４の部分からの大きな引張力を受ける。方向転換角度ａは、ループが互いに接近するときには、比較的小さいので、幅の縮小によって帯状部材の変形が生じ、したがってループ内で紐部材の滑動に対抗する高い摩擦力が現れる。その結果、該紐部材の両端部が引っ張られると、この摩擦力が、特に先端部において、緊締の均一性に影響を与えることがある。したがって、２のループ間にある紐部材の各線状部分に亙って、再度引張を行って緊締し直さなければならない。このように、紐締め作業は時間と手間のかかる仕事となる。
【００２２】
摩擦は、ループを構成する帯状紐部材に時期尚早な摩耗を引き起こして、破断させてしまう可能性がある。
【００２３】
図４は、本発明による解決策を示す。方向転換手段３は、図３の方向転換手段と同一ではあるが、案内部材３１に連接される閉ループを含む。
【００２４】
図５に示すように、案内部材３１は、通過面Ｐに沿って柔軟なループ３０の内側で緊締手段４を通過させるための滑動面３１０を有する。この滑動面は緊締手段４の通過と滑動を容易にする働きをする。該通過面Ｐは説明を容易にするため参考として示すもので、各方向転換手段の近傍で、該紐部材４の軌道面にほぼ対応する。もちろん、この通過面Ｐは、靴胴部が湾曲形状をしているため、靴の一方の領域から他の領域へと変化することができる。
【００２５】
案内部材は、このようにして画定される面Ｐ内に或る程度の硬さを有するという別の重要な特徴を実現するためのものである。この硬さは、緊締手段を引っ張ると、案内部材の側方変形を生じ、その結果、ループの帯状部材の幅に影響を与えるようなものでなければならない。したがって、該案内部材は少なくともループの幅と同じ幅を有するものとする。
【００２６】
図６および図７は、滑動に際して緊締手段４を案内するための滑動面の特定の形状を示す。この案内部材の滑動面は、通過面Ｐ内で凸形をした１の母線と、該通過面Ｐに垂直な面Ｐ’内で凹形をした１の母線とを有する。この凹形をした面Ｐ’により、該案内部材と接触する該紐部材の保持と案内が促進される。緊締部材の滑動それ自体は、凸形をした通過面Ｐによって改善される。
【００２７】
しかしながら、このようにして、一般的な用語で定義される溝部の形状は只一つの例に限られるものではなく、またねあらゆる放射方向への紐部材の案内を確実にするため、筒状の面を考えても良い。
【００２８】
好ましくは、該案内部材の側縁部３１０ａ、３１０ｂの厚さは、面Ｐ’に沿った方向の圧縮に対して或る程度の変形可能性を有するよう、使用材料に応じて予め定められる。このために、既に説明した硬点の現象は完全に消失する。
【００２９】
本発明の別の特徴によれば、該案内部材は帯状３０の部分が該案内部材を貫通して確実に移行できるようにするとともに、該帯状部材の部分が該案内部材と確実に連結できるようにするスロット３１１を有する。このスロットは一方の縁部３１０ａから他方の縁部３１０ｂまで該案内部材を横切る。この連結手段は強度がより高く、かつ実施がより簡単であるという利点を有する。しかしながら、リベット留め、クリップ留め／挟み留め、ホック留め、等々、他の連結手段を考えても良い。
【００３０】
各図が示すように、方向転換手段３は各腰革１１０ａ、１１０ｂに相対するように配分され、かつ各々のループが両腰革の一方に接続される一部分と開口部１２で腰革を縁取る上記案内部材を含む一部分とを有するように配置される。
【００３１】
このようにして、外部部材により緊締装置に対して圧力が加えられる場合、該案内部材は腰革の厚み内でその位置を占める。この位置の占拠は、部分的には、ループの柔軟性によるものである。このようにして、硬点の生ずる恐れは減少する。
【００３２】
帯状部材の部分は、その柔軟性と抗張性により、織物材料から選ぶのが好ましい。場合によっては、ゴム製または革製のバンドの部分を使用することも考えても良い。この帯状部材の部分は、縫い取りにより、或いはまたリベット留め、ホック留め、またはこれら複数手段の組合せにより靴胴部に接続されるのが好ましい。また、靴胴部を構成する組織の連続する一部分としてこの帯状部材の一部分を考えることも本発明の範囲に入る。
【００３３】
もちろん、該案内部材は、摩擦係数の小さな材料で作られる。これとは異なる材料をしようしても差し支えない。この案内部材を、ＰＴＦＥ、ＰＴＦＣＥ、ＦＥＰ、ナイロン、ポリアミド、ポリエチレン、およびポリアセタールから選んだプラスチック材料で作るのも有利である。
【００３４】
この案内部材は、単一体として製作しても良いし、或いはまた、逆に、複数個の部分を機械的に結合するか、或いは鋳造成形して製作しても良い。
【００３５】
もちろん、本発明は記載した実施態様に限定されるものではなく、冒頭の特許性級の範囲に入る全ての均等物をも含む。
【図面の簡単な説明】
【図１】ベルト式締め具内に固定されたサーフ用靴の一例を示す概略図である。
【図２】本発明によるサーフ用靴の簡略斜視図である。
【図３】先行技術によるサーフ靴の要部の詳細を示す図である。
【図４】本発明の解決策を適用した、図３の詳細図に類似する図である。
【図５】図４のＡ−Ａ線に沿って見た断面図である。
【図６】図５のＢ−Ｂ線に沿って見た断面図である。
【図７】図５のＣ−Ｃ線に沿って見た断面図である。
【符号の説明】
１  方向転換手段
４  紐部材
１２  開口部
３０  閉鎖型ループ
３１  案内部材
１１０  （靴胴部の）部分
１１０ａ、１１０ｂ  腰革
３１０  滑動面
３１１  スロット
【図１】
0003880695.tif 000002
【図２】
0003880695.tif 000003
【図３】
0003880695.tif 000004
【図４】
0003880695.tif 000005
【図５】
0003880695.tif 000006
【図６】
0003880695.tif 000007
【図７】
0003880695.tif 000008